(57)【要約】【課題】生体情報取得装置の電源のオンオフの切替えを確実に行うことが可能な生体情報取得システムを提供する。【解決手段】本発明の生体情報取得システムは、生体情報取得部を具備する生体情報取得装置と、磁界発生部と、を有し、生体情報取得装置は、生体情報取得部の駆動電力を供給可能な電源部と、磁界発生部から発せられた磁界の検知結果に応じた磁界検知信号の出力状態に基づき、電源部に接続されている第１のスイッチ部のオンオフ状態を制御する第１の切替制御部と、磁界検知信号の出力状態に基づき、第１のスイッチ部と生体情報取得部との間に接続されている第２のスイッチ部のオンオフ状態を制御する第２の切替制御部と、第１のスイッチ部がオフからオンへ切り替えられたことを知らせるための報知動作を一定時間のみ行う報知動作部と、を有する。【選択図】図２
2013135821.tif 000002
【特許請求の範囲】
【請求項１】
被検体の内部の生体情報を取得可能な生体情報取得部を具備して構成された生体情報取得装置と、交流磁界を発生可能に構成された磁界発生部と、を有する生体情報取得システムであって、
前記生体情報取得装置は、
前記生体情報取得部を駆動させるための電力を供給可能な電源部と、
前記磁界発生部から発せられた交流磁界の検知結果に応じた磁界検知信号を生成して出力する磁界検知部と、
前記磁界検知信号の出力状態に基づき、前記電源部に接続されている第１のスイッチ部のオンオフ状態を切り替えるまたは維持するように制御を行う第１の切替制御部と、
前記第１のスイッチがオンされることにより前記電源部からの電力が供給されている場合において、前記磁界検知信号の出力状態に基づき、前記第１のスイッチ部と前記生体情報取得部との間に接続されている第２のスイッチ部のオンオフ状態を切り替えるまたは維持するように制御を行う第２の切替制御部と、
前記第１のスイッチ部がオフからオンへ切り替えられたことを前記生体情報取得装置の外部へ知らせるための報知動作を、前記第１のスイッチ部がオフからオンへ切り替えられた直後から一定時間のみ行う報知動作部と、
を有することを特徴とする生体情報取得システム。
【請求項２】
前記報知動作部は、
前記第１のスイッチ部がオフからオンへ切り替えられた直後から一定時間のみ駆動信号を出力するタイマ駆動部と、
前記生体情報取得装置の外表面に向けて発光面が配置されているとともに、前記タイマ駆動部から前記駆動信号が出力されている際に発光する発光素子を具備して構成されている報知部と、
を有することを特徴とする請求項１に記載の生体情報取得システム。
【請求項３】
前記報知動作部は、
前記第１のスイッチ部がオフからオンへ切り替えられた直後から一定時間のみ駆動信号を出力するタイマ駆動部と、
前記タイマ駆動部から前記駆動信号が出力されている際に、前記第１のスイッチ部がオフからオンへ切り替えられた旨を示す情報を表示装置に表示させるための報知信号を前記生体情報取得装置の外部へ無線送信する無線信号送信回路を具備して構成されている報知部と、
を有することを特徴とする請求項１に記載の生体情報取得システム。
【請求項４】
前記生体情報取得部は、
被写体を撮像して画像データを取得する撮像部と、
前記被写体を照明するための照明光を発する照明部と、を有し、
前記報知動作部は、
前記第１のスイッチ部がオフからオンへ切り替えられた直後から一定時間のみ前記照明部から前記照明光を出射させるための駆動信号を出力するタイマ駆動部を有する
ことを特徴とする請求項１に記載の生体情報取得システム。
【請求項５】
前記生体情報取得装置は、カプセル内視鏡であることを特徴とする請求項１乃至４のいずれか一項に記載の生体情報取得システム。
【発明の詳細な説明】
【技術分野】
【０００１】
本発明は、生体内の情報を取得可能な生体情報取得システムに関するものである。
【背景技術】
【０００２】
医療分野における内視鏡は、生体内の観察等の用途において従来用いられている。そして、前述した内視鏡の種類の１つとして、被検者が嚥下することにより体腔内に配置され、蠕動運動に伴って体腔内を移動しつつ被写体の像を撮像し、撮像した被写体の像を撮像信号として外部に無線伝送可能なカプセル内視鏡が近年提案されている。
【０００３】
そして、前述したカプセル内視鏡と略同様の構成を有するものとしては、例えば、特許文献１に開示されているようなものがある。
【０００４】
具体的には、特許文献１には、磁界検知用の回路及び電源制御用の回路を内蔵したカプセル内視鏡において、カプセル内視鏡の外部から印加された磁界を磁界検出用のアンテナ（磁界検知部）により検知するとともに、当該検知した結果に応じて生成されるパルス信号が所定の期間内に所定の回数以上電源制御用の回路に入力された場合においてのみ、カプセル内視鏡の電源のオンオフを切り替える、という構成が開示されている。
【発明の概要】
【発明が解決しようとする課題】
【０００５】
一般的に、カプセル内視鏡の筐体は、被検者により嚥下可能な程度の体積に収まるように形成されている。これに伴い、カプセル内視鏡に内蔵される磁界検出用のアンテナ等の各構成要素の大きさが、筐体の体積に合わせたものに制限される。
【０００６】
そして、前述のカプセル内視鏡に特有の事情を考慮した場合、特許文献１のように構成されたカプセル内視鏡を生体内に配置して磁界を検知させるためには、例えば、カプセル内視鏡に内蔵可能な比較的小型のアンテナにより検知可能な程度まで強度を高めた磁界を生体外から（持続的に）印加する必要が生じる。その結果、特許文献１に開示された構成によれば、例えば、生体内に配置されたカプセル内視鏡に対して生体外から磁界を印加したとしても、カプセル内視鏡の電源のオンオフの切替えに係る動作が正常に行われない場合がある、という課題が生じている。
【０００７】
本発明は、前述した事情に鑑みてなされたものであり、生体情報取得装置の電源のオンオフの切替えを確実に行うことが可能な生体情報取得システムを提供することを目的としている。
【課題を解決するための手段】
【０００８】
本発明の一態様の生体情報取得システムは、被検体の内部の生体情報を取得可能な生体情報取得部を具備して構成された生体情報取得装置と、交流磁界を発生可能に構成された磁界発生部と、を有する生体情報取得システムであって、前記生体情報取得装置は、前記生体情報取得部を駆動させるための電力を供給可能な電源部と、前記磁界発生部から発せられた交流磁界の検知結果に応じた磁界検知信号を生成して出力する磁界検知部と、前記磁界検知信号の出力状態に基づき、前記電源部に接続されている第１のスイッチ部のオンオフ状態を切り替えるまたは維持するように制御を行う第１の切替制御部と、前記第１のスイッチがオンされることにより前記電源部からの電力が供給されている場合において、前記磁界検知信号の出力状態に基づき、前記第１のスイッチ部と前記生体情報取得部との間に接続されている第２のスイッチ部のオンオフ状態を切り替えるまたは維持するように制御を行う第２の切替制御部と、前記第１のスイッチ部がオフからオンへ切り替えられたことを前記生体情報取得装置の外部へ知らせるための報知動作を、前記第１のスイッチ部がオフからオンへ切り替えられた直後から一定時間のみ行う報知動作部と、を有する。
【発明の効果】
【０００９】
本発明における生体情報取得システムによれば、生体情報取得装置の電源のオンオフの切替えを確実に行うことができる。
【図面の簡単な説明】
【００１０】
【図１】本発明の実施例に係る生体情報取得システムの要部の構成を示す図。
【図２】生体情報取得装置の内部構成の一例を示す図。
【図３】生体情報取得装置が有する磁界検知部の構成の一例を示す図。
【図４】生体情報取得装置が有する一の検波部の構成の一例を示す図。
【図５】生体情報取得装置が有する他の検波部の構成の一例を示す図。
【図６】生体情報取得装置の動作の一例を説明するためのタイミングチャート。
【図７】生体情報取得装置の内部構成の、図２とは異なる例を示す図。
【発明を実施するための形態】
【００１１】
以下、本発明の実施の形態について、図面を参照しつつ説明を行う。
【００１２】
（第１の実施例）
図１から図６は、本発明の第１の実施例に係るものである。
【００１３】
図１は、本発明の実施例に係る生体情報取得システムの要部の構成を示す図である。
【００１４】
生体情報取得システム１０１は、図１に示すように、生体情報取得装置１と、生体情報取得装置１の外部において交流磁界を発する磁界発生部７と、を具備している。
【００１５】
生体情報取得装置１は、例えばカプセル内視鏡のような、被検者の体腔内に配置可能な寸法及び形状等を有する装置として構成されている。
【００１６】
また、生体情報取得装置１は、被検者の体腔内の被写体を照明するための照明光を発するＬＥＤ等の発光素子を備えた照明部２と、照明部２により照明された被写体を撮像して画像データを取得する撮像部３と、撮像部３により取得された画像データを無線信号に変調して外部へ送信する無線送信部４と、照明部２、撮像部３及び無線送信部４の各部を駆動させるための駆動電力を供給可能な電力供給部５と、磁界発生部７において発せられた磁界を検知可能な磁界検知部６と、を内部に有している。
【００１７】
すなわち、本実施例における生体情報取得部は、照明部２及び撮像部３を具備して構成されている。
【００１８】
磁界発生部７は、図示しないスイッチ等の操作に応じ、生体情報取得装置１における電源状態を切り替えるための所定の磁界を発生することが可能な構成を有している。具体的には、磁界発生部７は、例えば、後述する各種の磁界発生スイッチが１回オンされる毎に、複数回のバースト状の交流磁界を発生することができるように構成されている。
【００１９】
図２は、生体情報取得装置の内部構成の一例を示す図である。図３は、生体情報取得装置が有する磁界検知部の構成の一例を示す図である。
【００２０】
電力供給部５は、図２に示すように、生体情報取得装置１の各部を駆動させるための電力を供給可能な電池またはバッテリ等を具備する電源部８と、スイッチ部９ａ及び９ｂと、信号受信部１０ａ及び１０ｂと、タイマ駆動部３１と、報知部３２と、を有して構成されている。
【００２１】
磁界検知部６は、磁界発生部７で発せられた磁界を何らかの手段で検知することができるような構成を有しており、例えば図３に示すような、コイルＬＡ及びコンデンサＣＡからなる共振回路として構成されていてもよい。また、磁界検知部６は、磁界発生部７から発せられた交流磁界の検知結果（検知時の波形）に応じた電気信号である磁界検知信号を生成して信号受信部１０ａ及び１０ｂへ出力する。
【００２２】
電源部８は、電力供給の有無を切り替えるスイッチ等を介さずに信号受信部１０ａに接続され、スイッチ部９ａを介して信号受信部１０ｂへ電力を供給するように接続され、さらにスイッチ部９ｂを介して照明部２、撮像部３及び無線送信部４の各部へ電力を供給するように接続されている。
【００２３】
スイッチ部９ａは、電源部８に接続されており、第１の切替制御部としての機能を具備する信号受信部１０ａからの切替信号の出力状態に基づいてオンまたはオフされることにより、電源部８から信号受信部１０ｂへの電力の供給状態を切り替えることができるように構成されている。
【００２４】
スイッチ部９ｂは、スイッチ部９ａと照明部２、撮像部３及び無線送信部４の各部との間に接続されており、第２の切替制御部としての機能を具備する信号受信部１０ｂからの切替信号の出力状態に基づいてオンまたはオフされることにより、電源部８から照明部２、撮像部３及び無線送信部４の各部への電力の供給状態を切り替えることができるように構成されている。
【００２５】
信号受信部１０ａは、図２に示すように、閾値ＴＨ１以上の信号レベルを具備する磁界検知信号を検波してパルス信号を出力する検波部１１ａと、検波部１１ａがパルス信号を出力し始めてから一定時間ＴＡ１が経過するまで時間の計測を行うタイマ部１２ａと、検波部１１ａからのパルス信号の入力回数を１ずつカウントすることによりカウント値を得るカウンタ部１３ａと、カウンタ部１３ａからの出力信号が入力される毎にスイッチ部９ａのオンオフ状態を切り替えるための切替信号の出力を反転するラッチ部１４ａと、を有して構成されている。
【００２６】
図４は、生体情報取得装置が有する一の検波部の構成の一例を示す図である。
【００２７】
検波部１１ａは、例えば図４に示すような、ダイオードＤＢと、コンデンサＣＢと、抵抗ＲＢと、からなるピークホールド回路として構成されている。
【００２８】
すなわち、検波部１１ａは、磁界検知部６から出力される磁界検知信号の出力間隔がコンデンサＣＢの容量と抵抗ＲＢの抵抗値との積により定められる時定数τ１以上である場合において、磁界検知部６から出力される磁界検知信号を適切に検波できるように構成されている。そして、検波部１１ａは、時定数τ１以上の出力間隔毎に磁界検知部６から出力される磁界検知信号を検波することにより、磁界発生部７からバースト状に出力される交流磁界の出力回数（磁界検知部６から出力される磁界検知信号の出力回数）に一致する数のパルス信号をカウンタ部１３ａへ連続的に出力することができるように構成されている。
【００２９】
タイマ部１２ａは、一定時間ＴＡ１が経過した際に、カウンタ部１３ａのカウント値を０にリセットさせるように動作する。
【００３０】
なお、本実施例のタイマ部１２ａは、検波部１１ａがパルス信号を出力し始めてから一定時間ＴＡ１が経過するまで時間の計測を行うものに限らず、例えば、検波部１１ａから出力されるパルス信号の出力間隔に相当する時間の計測を行うものであってもよく、または、これら２つの時間の計測を同時に行うものであってもよい。さらに、タイマ部１２ａが検波部１１ａから出力されるパルス信号の出力間隔に相当する時間の計測を行うように構成されている場合においては、前述の時定数τ１とタイマ部１２ａの計測時間とが略一致するようにしてもよい。
【００３１】
カウンタ部１３ａは、検波部１１ａからのパルス信号の入力回数を１ずつカウントして得たカウント値が信号出力カウント値ＰＡに達したことを検出した際に、出力信号をラッチ部１４ａへ出力するように構成されている。
【００３２】
一方、信号受信部１０ｂは、図２に示すように、磁界検知部６から出力される磁界検知信号の信号レベルを閾値ＴＨ２以上の信号レベルへ増幅する増幅部２１と、閾値ＴＨ２以上の信号レベルを具備する磁界検知信号を検波してパルス信号を出力する検波部１１ｂと、検波部１１ｂがパルス信号を出力し始めてから一定時間ＴＡ２が経過するまで時間の計測を行うタイマ部１２ｂと、検波部１１ｂからのパルス信号の入力回数を１ずつカウントすることによりカウント値を得るカウンタ部１３ｂと、カウンタ部１３ｂからの出力信号が入力される毎にスイッチ部９ｂのオンオフ状態を切り替えるための切替信号の出力を反転するラッチ部１４ｂと、を有して構成されている。
【００３３】
図５は、生体情報取得装置が有する他の検波部の構成の一例を示す図である。
【００３４】
検波部１１ｂは、例えば図５に示すような、ダイオードＤＣと、コンデンサＣＣと、抵抗ＲＣと、からなるピークホールド回路として構成されている。
【００３５】
すなわち、検波部１１ｂは、磁界検知部６から出力される磁界検知信号の出力間隔がコンデンサＣＣの容量と抵抗ＲＣの抵抗値との積により定められる時定数τ２以上である場合において、磁界検知部６から出力される磁界検知信号を適切に検波できるように構成されている。そして、検波部１１ａは、時定数τ２以上の出力間隔毎に磁界検知部６から出力される磁界検知信号を検波することにより、磁界発生部７からバースト状に出力される交流磁界の出力回数（磁界検知部６から出力される磁界検知信号の出力回数）に一致する数のパルス信号をカウンタ部１３ｂへ連続的に出力することができるように構成されている。
【００３６】
タイマ部１２ｂは、一定時間ＴＡ２が経過した際に、カウンタ部１３ｂのカウント値を０にリセットさせるように動作する。
【００３７】
なお、本実施例のタイマ部１２ｂは、検波部１１ｂがパルス信号を出力し始めてから一定時間ＴＡ２が経過するまで時間の計測を行うものに限らず、例えば、検波部１１ｂから出力されるパルス信号の出力間隔に相当する時間の計測を行うものであってもよく、または、これら２つの時間の計測を同時に行うものであってもよい。さらに、タイマ部１２ｂが検波部１１ｂから出力されるパルス信号の出力間隔に相当する時間の計測を行うように構成されている場合においては、前述の時定数τ２とタイマ部１２ｂの計測時間とが一致するようにしてもよい。
【００３８】
また、本実施例によれば、前述の一定時間ＴＡ１及びＴＡ２は、同一の時間に設定されていてもよく、または、ＴＡ１＞ＴＡ２となるように設定されていてもよい。
【００３９】
カウンタ部１３ｂは、検波部１１ｂからのパルス信号の入力回数を１ずつカウントして得たカウント値が信号出力カウント値ＰＢに達したことを検出した際に、出力信号をラッチ部１４ｂへ出力するように構成されている。
【００４０】
なお、前述の信号出力カウント値ＰＡ及びＰＢは、ＰＡ＞ＰＢの大小関係を有する限りにおいては、それぞれ任意の値に設定してもよい。
【００４１】
また、本実施例においては、検波部１１ａの時定数τ１と、検波部１１ｂの時定数τ２と、が同じ値になるように、コンデンサＣＢ及びＣＣの容量と、抵抗ＲＢ及びＲＣの抵抗値と、がそれぞれ設定されているものとする。
【００４２】
タイマ駆動部３１は、図２に示すように、スイッチ部９ａがオンされた場合に電源部８からの電力の供給が行われ、かつスイッチ部９ａがオフされた場合に電源部８からの電力の供給が停止するように接続されている。
【００４３】
また、タイマ駆動部３１は、スイッチ部９ａがオフからオンへ切り替えられた際に、報知部３２を駆動させるための駆動信号を一定時間ＴＸ（例えば６０秒程度）だけ出力するように構成されている。
【００４４】
報知部３２は、生体情報取得装置１の外表面に向けて発光面が配置されたＬＥＤ等の発光素子を具備し、タイマ駆動部３１からの駆動信号の出力状態に応じて発光するように構成されている。
【００４５】
または、報知部３２は、スイッチ部９ａがオフからオンへ切り替えられた旨を示す画像あるいは文字列等の情報を含む報知信号を生体情報取得装置１の外部へ無線送信することが可能な無線信号送信回路を具備し、タイマ駆動部３１からの駆動信号の出力状態に応じて報知信号を無線送信するように構成されている。そして、このような報知部３２の構成によれば、報知部３２から無線送信される報知信号を生体情報取得装置１の外部に設けられた受信装置（図示せず）で受信して種々の信号処理を施すことにより、当該報知信号に含まれている画像または文字列等の情報を表示装置（図示せず）に表示させることができる。
【００４６】
なお、本実施例のタイマ駆動部３１及び報知部３２は、図２に示すような、スイッチ部９ａの後段に接続されているものに限らず、例えば、信号受信部１０ａにおけるカウンタ部１３ａの後段に接続されていてもよい。そして、このような構成によれば、タイマ駆動部３１は、カウンタ部１３ａからラッチ部１４ａへ出力信号が出力されたことを検出した際に、報知部３２を駆動させるための駆動信号を一定時間ＴＸだけ出力する。
【００４７】
ここで、本実施例の生体情報取得装置１の動作について、図６のタイミングチャートを参照しながら説明を行う。図６は、生体情報取得装置の動作の一例を説明するためのタイミングチャートである。
【００４８】
なお、図６のタイミングチャートに関する説明においては、簡単のため、ラッチ部１４ａ及び１４ｂが、それぞれＤフリップフロップにより構成されており、かつ信号の立ち上がりに同期して動作するものとして説明を進める。また、図６のタイミングチャートに関する説明においては、一例として、前述の信号出力カウント値ＰＡの値を２４と設定し、かつ前述の信号出力カウント値ＰＢの値を１６と設定した場合について述べる。
【００４９】
まず、時刻ｔ１以前の期間に相当する初期状態においては、磁界発生部７から交流磁界が発生されないため、スイッチ部９ａ及び９ｂがいずれもオフされている。そして、このような初期状態においては、信号受信部１０ａと電源部８との電気的接続が維持される一方で、照明部２、撮像部３、無線送信部４、信号受信部１０ｂ、タイマ駆動部３１、及び報知部３２の各部に対しては電源部８からの電力が供給されない。また、前述の初期状態においては、照明部２、撮像部３、無線送信部４、信号受信部１０ｂ、タイマ駆動部３１、及び報知部３２の各部の動作が完全に停止しているとともに、磁界発生部７から交流磁界が発生されないことに伴い、信号受信部１０ａ動作を行わない。そのため、前述の初期状態においては、電源部８から電力は殆ど供給されず、電力消費が最小限に抑えられたまま、磁界検知部６からの磁界検知信号の入力待機状態が維持される。
【００５０】
そして、時刻ｔ１において、例えば、磁界発生部７に設けられた第１の磁界発生スイッチ（図示せず）が術者等によりオンされると、所定の周期で１回ずつ全２４回発せられるバースト状の交流磁界のうちの、１回目のバースト状の交流磁界が磁界発生部７から発せられる。
【００５１】
また、時刻ｔ１において、全２４回のうちの１回目のバースト状の交流磁界が磁界発生部７から発せられるに伴い、閾値ＴＨ１以上の信号レベルを具備する磁界検知信号が磁界検知部６から出力され、磁界検知部６からの磁界検知信号を検波して得られたパルス信号が検波部１１ａからカウンタ部１３ａへ出力され、一定時間ＴＡ１を計測するための計時動作がタイマ部１２ａにおいて開始される。さらに、このような動作が時刻ｔ１において行われるに伴い、カウンタ部１３ａのカウント値が１に更新される。
【００５２】
その後、時刻ｔ２において、全２４回のうちの２４回目のバースト状の交流磁界が磁界発生部７から発せられるに伴い、閾値ＴＨ１以上の信号レベルを具備する磁界検知信号が磁界検知部６から出力され、磁界検知部６からの磁界検知信号を検波して得られたパルス信号が検波部１１ａからカウンタ部１３ａへ出力される。さらに、このような動作が時刻ｔ２において行われるに伴い、カウンタ部１３ａのカウント値が２４に更新され、カウンタ部１３ａから出力される出力信号がラッチ部１４ａに入力され、ラッチ部１４ａから出力される切替信号が反転され、スイッチ部９ａがオフからオンへ切り替えられる。
【００５３】
従って、以上に述べたような各部の動作によれば、時刻ｔ２に達した時点において、スイッチ部９ａがオンされることに伴い、電源部８から信号受信部１０ｂ及びタイマ駆動部３１への電力の供給が開始される。
【００５４】
なお、時刻ｔ２以前においては、信号受信部１０ｂへの電力の供給が行われないため、磁界検知部６からの磁界検知信号が信号受信部１０ｂ（の増幅部２１）に入力されたとしても、ラッチ部１４ｂから切替信号が出力されず、スイッチ部９ｂがオフされた状態が維持される。
【００５５】
タイマ部１２ａは、時刻ｔ２の後の時刻ｔ３において、一定時間ＴＡ１を計測するための計時動作を完了する際に、カウンタ部１３ａのカウント値を０にリセットさせるように動作する。換言すると、時刻ｔ１から時刻ｔ３までの期間に相当する一定時間ＴＡ１が経過するまでにカウンタ部１３ａのカウント値が２４に達しない場合においては、カウンタ部１３ａのカウント値が０にリセットされることにより、ラッチ部１４ａから出力される切替信号が反転されないまま維持され、スイッチ部９ａがオフからオンへ切り替えられないため、電源部８から信号受信部１０ｂへの電力の供給が開始されない。
【００５６】
一方、タイマ駆動部３１は、スイッチ部９ａがオフからオンへ切り替えられた直後に相当する時刻ｔ２において、電源部８からの電力の供給が開始されるに伴い、報知部３２への駆動信号の出力を開始する。
【００５７】
報知部３２は、スイッチ部９ａがオフからオンへ切り替えられた直後に相当する時刻ｔ２において、タイマ駆動部３１からの駆動信号の出力が開始されるに伴い、スイッチ部９ａがオフからオンへ切り替えられた旨を生体情報取得装置１の外部へ知らせるための報知動作を開始する。
【００５８】
具体的には、例えば、報知部３２が発光素子を有して構成されている場合には、時刻ｔ２において、当該発光素子が発光し始める。
【００５９】
また、例えば、報知部３２が無線信号送信回路を有して構成されている場合には、時刻ｔ２において、スイッチ部９ａがオフからオンへ切り替えられた旨を示す画像あるいは文字列等の情報を含む報知信号の無線送信が開始される。
【００６０】
そして、カウンタ部１３ａのカウント値が０にリセットされた時刻ｔ３の後、時刻ｔ４において、被検者が生体情報取得装置１を嚥下することにより、生体情報取得装置１が被検者の体腔内に配置される。なお、被検者が嚥下するタイミングによっては、スイッチ部９ａのオフからオンへの切替えが報知された直後に生体情報取得装置１が嚥下され、その後にカウント値がリセットされることも考えられるが、そのような場合であっても本発明の実施にあたっての実質的な差異はない。
【００６１】
タイマ駆動部３１は、時刻ｔ４の後の時刻ｔ５において、一定時間ＴＸが経過したことを検出すると、報知部３２への駆動信号の出力を停止する。
【００６２】
報知部３２は、時刻ｔ５において、タイマ駆動部３１からの駆動信号の出力が停止されるに伴い、スイッチ部９ａがオフからオンへ切り替えられた旨を生体情報取得装置１の外部へ知らせるための報知動作を停止する。すなわち、報知部３２は、時刻ｔ２からｔ５までの期間に略相当する一定時間ＴＸの間のみ報知動作を行う。
【００６３】
具体的には、例えば、報知部３２が発光素子を有して構成されている場合には、時刻ｔ５において、当該発光素子が消光する。すなわち、報知部３２が発光素子を有して構成されている場合には、一定時間ＴＸの間のみ、当該発光素子が発光し続ける。
【００６４】
また、例えば、報知部３２が無線信号送信回路を有して構成されている場合には、時刻ｔ５において、スイッチ部９ａがオフからオンへ切り替えられた旨を示す画像あるいは文字列等の情報を含む報知信号の無線送信が停止される。すなわち、報知部３２が無線信号送信回路を有して構成されている場合には、一定時間ＴＸの間のみ、スイッチ部９ａがオフからオンへ切り替えられた旨を示す画像あるいは文字列等の情報が（図示しない表示装置に）表示され続ける。
【００６５】
従って、報知部３２が発光素子を有して構成されている場合には、術者等は、磁界発生部７に設けられた第１の磁界発生スイッチをオンした後、当該発光素子が発光していることを確認することにより、生体情報取得装置１を被検者の体腔内に配置する前に、スイッチ部９ａがオンされており、かつスイッチ部９ｂがオフされている状態（スタンバイ状態）であることを認識できる。
【００６６】
また、報知部３２が無線信号送信回路を有して構成されている場合には、術者等は、磁界発生部７に設けられた第１の磁界発生スイッチをオンした後、当該無線信号送信回路から無線送信される報知信号に含まれる画像あるいは文字列等の情報が表示装置（図示せず）に表示されていることを確認することにより、生体情報取得装置１を被検者の体腔内に配置する前に、スイッチ部９ａがオンされており、かつスイッチ部９ｂがオフされている状態（スタンバイ状態）であることを認識できる。
【００６７】
そして、以上に述べたようなタイマ駆動部３１及び報知部３２の動作等によれば、スイッチ部９ａがオフからオンへ切り替えられた旨を術者等に報知できるとともに、スイッチ部９ａがオフからオンへ切り替えられた旨を報知する際に消費される電力、すなわち電源部８から供給される電力を極力抑制することができる。
【００６８】
一方、時刻ｔ５の後の時刻ｔ６において、例えば、磁界発生部７に設けられた第２の磁界発生スイッチ（図示せず）が術者等によりオンされると、所定の周期で１回ずつ全１６回発せられるバースト状の交流磁界のうちの、１回目のバースト状の交流磁界が磁界発生部７から発せられる。
【００６９】
また、時刻ｔ６において、全１６回のうちの１回目のバースト状の交流磁界が磁界発生部７から発せられるに伴い、閾値ＴＨ１未満の信号レベルを具備する磁界検知信号が磁界検知部６から出力され、閾値ＴＨ２以上の信号レベルを具備するように増幅された磁界検知信号が増幅部２１から検波部１１ｂへ出力され、増幅部２１からの磁界検知信号を検波して得られたパルス信号が検波部１１ｂからカウンタ部１３ｂへ出力され、一定時間ＴＡ２を計測するための計時動作がタイマ部１２ｂにおいて開始される。さらに、このような動作が時刻ｔ６において行われるに伴い、カウンタ部１３ｂのカウント値が１に更新される。
【００７０】
その後、時刻ｔ７において、全１６回のうちの１６回目のバースト状の交流磁界が磁界発生部７から発せられるに伴い、閾値ＴＨ１未満の信号レベルを具備する磁界検知信号が磁界検知部６から出力され、閾値ＴＨ２以上の信号レベルを具備するように増幅された磁界検知信号が増幅部２１から検波部１１ｂへ出力され、増幅部２１からの磁界検知信号を検波して得られたパルス信号が検波部１１ｂからカウンタ部１３ｂへ出力される。さらに、このような動作が時刻ｔ７において行われるに伴い、カウンタ部１３ｂのカウント値が１６に更新され、カウンタ部１３ｂから出力される出力信号がラッチ部１４ｂに入力され、ラッチ部１４ｂから出力される切替信号が反転され、スイッチ部９ｂがオフからオンへ切り替えられる。
【００７１】
従って、以上に述べたような各部の動作によれば、時刻ｔ７に達した時点において、スイッチ部９ｂがオンされることに伴い、電源部８から照明部２、撮像部３及び無線送信部４の各部への電力の供給が開始され、すなわち、被検者の体腔内の画像データを取得している状態（本来の動作状態、所謂撮像状態）へ移行する。
【００７２】
なお、時刻ｔ６以降においては、生体情報取得装置１が被検者の体腔内に配置されていることに起因し、磁界検知部６から出力される磁界検知信号の信号レベルが検波部１１ａにおいて検波可能な閾値ＴＨ１未満になる。そのため、時刻ｔ６以降において、生体情報取得装置１が被検者の体腔内に配置されている最中に磁界検知部６からの磁界検知信号が信号受信部１０ａ（の検波部１１ａ）に入力されたとしても、ラッチ部１４ａから出力される切替信号が反転されず、スイッチ部９ａがオンされた状態が維持される。
【００７３】
一方、タイマ部１２ｂは、時刻ｔ７の後の時刻ｔ８において、一定時間ＴＡ２を計測するための計時動作を完了する際に、カウンタ部１３ｂのカウント値を０にリセットさせるように動作する。換言すると、時刻ｔ６から時刻ｔ８までの期間に相当する一定時間ＴＡ２が経過するまでにカウンタ部１３ｂのカウント値が１６に達しない場合においては、カウンタ部１３ｂのカウント値が０にリセットされることにより、ラッチ部１４ｂから出力される切替信号が反転されないまま維持され、スイッチ部９ｂがオフからオンへ切り替えられないため、電源部８から照明部２、撮像部３及び無線送信部４の各部への電力の供給が開始されない。
【００７４】
その後、時刻ｔ９において、例えば、磁界発生部７に設けられた第２の磁界発生スイッチ（図示せず）が術者等により再度オンされると、所定の周期で１回ずつ１６回以上発せられるバースト状の交流磁界のうちの、１回目のバースト状の交流磁界が磁界発生部７から発せられる。
【００７５】
また、時刻ｔ９において、設定値１６回に対して１回目のバースト状の交流磁界が磁界発生部７から発せられるに伴い、閾値ＴＨ１未満の信号レベルを具備する磁界検知信号が磁界検知部６から出力され、閾値ＴＨ２以上の信号レベルを具備するように増幅された磁界検知信号が増幅部２１から検波部１１ｂへ出力され、増幅部２１からの磁界検知信号を検波して得られたパルス信号が検波部１１ｂからカウンタ部１３ｂへ出力され、一定時間ＴＡ２を計測するための計時動作がタイマ部１２ｂにおいて開始される。さらに、このような動作が時刻ｔ９において行われるに伴い、カウンタ部１３ｂのカウント値が１に更新される。
【００７６】
その後、時刻ｔ１０において設定値１６回に対して１６回以上のバースト状の交流磁界が磁界発生部７から発せられると、カウント値が１６回目に達した時点で、それに伴い、閾値ＴＨ１未満の信号レベルを具備する磁界検知信号が磁界検知部６から出力され、閾値ＴＨ２以上の信号レベルを具備するように増幅された磁界検知信号が増幅部２１から検波部１１ｂへ出力され、増幅部２１からの磁界検知信号を検波して得られたパルス信号が検波部１１ｂからカウンタ部１３ｂへ出力される。さらに、このような動作が時刻ｔ１０において行われるに伴い、カウンタ部１３ｂのカウント値が１６に更新され、カウンタ部１３ｂから出力される出力信号がラッチ部１４ｂに入力され、ラッチ部１４ｂから出力される切替信号が反転され、スイッチ部９ｂがオンからオフへ切り替えられる。
【００７７】
従って、以上に述べたような各部の動作によれば、時刻ｔ１０に達した時点において、スイッチ部９ｂがオンからオフへ切り替えられることに伴い、電源部８から照明部２、撮像部３及び無線送信部４の各部への電力の供給が停止され、すなわち、被検者の12/26
【００７８】
また、以上に述べたような時刻ｔ９から時刻ｔ１０までの動作によれば、例えば、時刻ｔ８以降において取得された画像データを図示しないモニタ等に表示させて確認することにより、生体情報取得装置１が所望の観察部位に到達していないことが判明したような場合等においては、スイッチ部９ｂがオンからオフへ切り替えられ、照明部２、撮像部３及び無線送信部４の各部への電力の供給を一旦停止させることができる。
【００７９】
一方、タイマ部１２ｂは、時刻ｔ１０の後の時刻ｔ１１において、一定時間ＴＡ２を計測するための計時動作を完了する際に、カウンタ部１３ｂのカウント値を０にリセットさせるように動作する。換言すると、時刻ｔ９から時刻ｔ１１までの期間に相当する一定時間ＴＡ２が経過するまでにカウンタ部１３ｂのカウント値が１６に達しない場合においては、カウンタ部１３ｂのカウント値が０にリセットされることにより、ラッチ部１４ｂから出力される切替信号が反転されないまま維持され、スイッチ部９ｂがオンからオフへ切り替えられないため、電源部８から照明部２、撮像部３及び無線送信部４の各部への電力の供給が継続される。
【００８０】
すなわち、以上に述べたような時刻ｔ６から時刻ｔ１１までの動作によれば、スイッチ部９ａがオンされている場合において、第２の磁界発生スイッチ（図示せず）のオンオフが術者等により切り替えられるに伴い、スイッチ部９ｂのオンオフが切り替わる。そのため、以上に述べたような時刻ｔ６から時刻ｔ１１までの動作によれば、電源部８から照明部２、撮像部３及び無線送信部４の各部への電力の供給に係る動作を、第２の磁界発生スイッチ（図示せず）のオンオフの切替えに伴うトグル動作とみなすことができる。
【００８１】
以上に述べたように、本実施例によれば、バースト状に発せられる交流磁界を検知して得られた磁界検知信号を検波可能な信号レベルの閾値と、前記磁界検知信号の出力間隔に同期した検波の可否を決定するための時定数と、の組み合わせに基づき、生体情報取得装置の電源状態を変更するための制御を行うことができるような構成を備えている。そのため、本実施例によれば、例えば、生体情報取得装置に内蔵されるアンテナを大型化せずとも、生体情報取得装置の電源のオンオフの切替えを従来に比べて確実に行うことができる。
【００８２】
（第２の実施例）
図７は、本発明の第２の実施例に係るものである。
【００８３】
なお、本実施例においては、第１の実施例と同様の構成等を有する部分に関する詳細な説明を省略するとともに、第１の実施例と異なる構成等を有する部分に関して主に説明を行う。図７は、生体情報取得装置の内部構成の、図２とは異なる例を示す図である。
【００８４】
生体情報取得装置１Ａは、図７に示すように、第１の実施例において説明した電力供給部５から報知部３２を取り除き、さらに、タイマ駆動部３１から出力される駆動信号が照明部２へ出力されるように接続された電力供給部５Ａを具備して構成されている。
【００８５】
すなわち、本実施例の生体情報取得装置１Ａの構成によれば、第１の実施例において説明した、ＬＥＤ等の発光素子を具備する報知部３２と略同様の機能を照明部２により実現している。
【００８６】
ここで、本実施例の生体情報取得装置１Ａの動作について、図６のタイミングチャートを参照しながら説明を行う。
【００８７】
なお、本実施例の生体情報取得装置１Ａによれば、タイマ駆動部３１及び照明部２による報知動作に係る部分以外については、第１の実施例の生体情報取得装置１と同様の動作等を適用することができる。そのため、以降においては、タイマ駆動部３１及び照明部２による報知動作に係る部分以外の説明を省略するとともに、タイマ駆動部３１及び照明部２による報知動作に係る部分の説明を主に行う。
【００８８】
タイマ駆動部３１は、スイッチ部９ａがオフからオンへ切り替えられた直後に相当する時刻ｔ２において、電源部８からの電力の供給が開始されるに伴い、照明部２への駆動信号の出力を開始する。
【００８９】
照明部２は、スイッチ部９ａがオフからオンへ切り替えられた直後に相当する時刻ｔ２において、タイマ駆動部３１からの駆動信号の出力が開始されるに伴って照明光の出射を開始する。
【００９０】
そして、時刻ｔ３の後の時刻ｔ４において、被検者が生体情報取得装置１を嚥下することにより、生体情報取得装置１が被検者の体腔内に配置される。
【００９１】
タイマ駆動部３１は、時刻ｔ４の後の時刻ｔ５において、一定時間ＴＸが経過したことを検出すると、照明部２への駆動信号の出力を停止する。
【００９２】
照明部２は、時刻ｔ５において、タイマ駆動部３１からの駆動信号の出力が停止されるに伴って照明光の出射を停止する。すなわち、本実施例の照明部２は、スイッチ部９ａがオフからオンへ切り替えられた際に、時刻ｔ２からｔ５までの期間に略相当する一定時間ＴＸの間のみ照明光を出射し続けることにより、スイッチ部９ａがオフからオンへ切り替えられた旨を生体情報取得装置１の外部へ報知する。
【００９３】
従って、術者等は、磁界発生部７に設けられた第１の磁界発生スイッチをオンした後、照明部２から照明光が出射されていることを確認することにより、生体情報取得装置１Ａを被検者の体腔内に配置する前に、スイッチ部９ａがオンされており、かつスイッチ部９ｂがオフされている状態（スタンバイ状態）であることを認識できる。
【００９４】
そして、以上に述べたようなタイマ駆動部３１及び照明部２の動作等によれば、スイッチ部９ａがオフからオンへ切り替えられた旨を術者等に報知できるとともに、スイッチ部９ａがオフからオンへ切り替えられた旨を報知する際に消費される電力、すなわち電源部８から供給される電力を極力抑制することができる。
【００９５】
なお、本実施例のタイマ駆動部３１は、図７に示すような、スイッチ部９ａの後段に接続されているものに限らず、例えば、信号受信部１０ａにおけるカウンタ部１３ａの後段に接続されていてもよい。そして、このような構成によれば、タイマ駆動部３１は、カウンタ部１３ａからラッチ部１４ａへ出力信号が出力されたことを検出した際に、照明部２を発光させるための駆動信号を一定時間ＴＸだけ出力する。さらに、タイマ駆動部３１から照明部へ出力される駆動信号は、必ずしも一定時間連続したものである必要はなく、照明光の点滅の間隔や長さを変えることによって、本来の動作モード（＝撮像状態）と待機モード（＝スタンバイ状態）との違いを示すようにしてもよく、そうすれば、一定時間の連続発光に比べて消費電力を低減することが可能となる。特に、スイッチ部９ｂがオンされて通常の撮像状態となった場合の照明部の出射動作と、点滅の間隔や長さを変えることにより、動作モードの違いが明確に表わされることが可能となるとともに、電力消費低減の効果をさらに顕著なものとすることができる。
【００９６】
本発明は、上述した各実施例に限定されるものではなく、発明の趣旨を逸脱しない範囲内において種々の変更や応用が可能であることは勿論である。
【符号の説明】
【００９７】
１，１Ａ  生体情報取得装置
２  照明部
３  撮像部
４  無線送信部
５，５Ａ  電力供給部
６  磁界検知部
７  磁界発生部
８  電源部
９ａ，９ｂ  スイッチ部
１０ａ，１０ｂ  信号受信部
１１ａ，１１ｂ  検波部
１２ａ，１２ｂ  タイマ部
１３ａ，１３ｂ  カウンタ部
１４ａ，１４ｂ  ラッチ部
２１  増幅部
３１  タイマ駆動部
３２  報知部
１０１  生体情報取得システム
【先行技術文献】
【特許文献】
【００９８】
【特許文献１】特開２０１０−１０４５１８号公報
【図１】
2013135821.tif 000003
【図２】
2013135821.tif 000004
【図３】
2013135821.tif 000005
【図４】
2013135821.tif 000006
【図５】
2013135821.tif 000007
【図６】
2013135821.tif 000008
【図７】
2013135821.tif 000009